(57)【要約】【課題】イモ、ニンジン等の根菜類や果実類を選別装置等へ搬送供給する供給コンベアとして利用される果実等のコンベアに関する。簡単なブラシローラ形態で果実等を搬送しながら一箇並びに整列すると共に、前後の果実間に一定の間隔部を形成する。【解決手段】ブラシローラ１におけるロールコア２に対するブラシ３の植設傾斜角度Ａ，Ｂを、搬送方向に従って順次緩く設定したことを特徴とする果実等のコンベアの構成。【選択図】　　　　図１
2004075380.tif 000002
【特許請求の範囲】
【請求項１】
ブラシローラ１におけるロールコア２に対するブラシ３の植設傾斜角度Ａ，Ｂを、搬送方向に従って順次緩く設定したことを特徴とする果実等のコンベア。
【請求項２】
前記ブラシローラ１から供給される果実を受けて搬送しながら選別排出させる選別ベルト４を、このブラシローラ１のローラ軸５と同方向に向けて連設することを特徴とする請求項１に記載の果実等のコンベア。
【請求項３】
果実を受けて搬送しながら選別排出させる選別ベルト４を、前後のプーリ６、７と中間下部の中間プーリ８とによって三角状形態に張設し、この一側の側壁フレーム９には該選別ベルト４の下辺部に沿って、この選別ベルト４を横側へ出し入れ可能の間隔部１０を形成したことを特徴とする果実等のコンベア。
【発明の詳細な説明】
【０００１】
【発明の属する技術分野】
この発明は、果実や根菜類等のごとき収穫された果実を載せて移送するコンベアに関し、選果装置の選別ベルトや、選別皿等に対して、ニンジンや、サツマイモ等の果実を一箇毎繰出しながら供給載置する供給装置として利用できる。
【０００２】
【従来の技術】
果実類の選別装置において、選別される果実等を移送供給するためにブラシロールを用いる技術は知られている。
【０００３】
【発明が解決しようとする課題】
選別皿に果実や野菜等を一箇宛を正確に載せて搬送しながら重量選別域毎に選別する選別装置にあっては、選別皿に一箇宛て正確に供給する技術は容易ではない。とくにニンジンや、サツマイモのように長もの形態の被選別物にあっては、前記ブラシロールによる供給形態では、供給姿勢が一定し難いものである。左右一対のブラシローラ間に供給される果実が相互に重合する状態になると、搬送間隔が一定しない。又、果実はブラシローラの回転方向へ送り出されようとして、安定した搬送を維持でき難いものである。ウエイトサイザーのような選別ラインに対する果実を正確に供給するためには、一定間隔に果実を搬送供給して、各選別皿に一箇宛て正確に供給されることが必要である。
【０００４】
【課題を解決するための手段】
請求項１に記載の発明は、ブラシローラ１におけるロールコア２に対するブラシ３の植設傾斜角度Ａ，Ｂを、搬送方向に従って順次緩く設定したことを特徴とする果実等のコンベアの構成とする。
左右一対のブラシローラ１の回転によって、この谷間部の上面に果実を供給すると、この果実はブラシング作用を受けながら、ブラシ３の傾斜の方向へ移送される。このとき傾斜角度Ａのブラシ３による搬送速度よりも、傾斜角度Ｂのブラシ３による搬送速度が高速であるため、この供給始端部で重合状態にある果実も谷間部に沿って一列状態に整列されて搬送され、速度差によって終端部に至ると前後の果実間に一定の間隔部を生ずる。このブラシローラ３の終端部からは果実が一定の間隔毎に排出される。この果実がニンジンのように長もの形態であるときは、長手方向の中心線の周りに回転されてブラッシング作用を受けながら、長手方向を前方に向けてへ移送される。
【０００５】
請求項２に記載の発明は、前記ブラシローラ１から供給される果実を受けて搬送しながら選別排出させる選別ベルト４を、このブラシローラ１のローラ軸５と同方向に向けて連設することを特徴とするものである。前記ブラシローラ１で搬送される果実は、終端部では一定間隔に間隔維持されて、選別ベルト４上に一箇毎供給される。又、この選別ベルト４で同方向へ搬送される果実は、途中で所定の選別位置へ選別排出される。このため果実はブラシローラ１から選別ベルト４にわたって受け継ぎ搬送される間は、殆ど向きや姿勢を変えることなく、同じ向き乃至姿勢を維持した状態で搬送される。
【０００６】
請求項３に記載の発明は、果実を受けて搬送しながら選別排出させる選別ベルト４を、前後のプーリ６、７と中間下部の中間プーリ８とによって三角状形態に張設し、この一側の側壁フレーム９には該選別ベルト４の下辺部に沿って、この選別ベルト４を横側へ出し入れ可能の間隔部１０を形成したことを特徴とする果実等のコンベアの構成とする。
選別ベルト４は、前記のようにブラシローラ１から搬送供給される果実を載せて搬送しながら、この果実を選別毎に側方へ選別排出させる。この選別ベルト４は上辺部は略前後水平状態に張設されるが、下辺部は中間プーリ７によって下方に張設されて三角状形態に巻回される。この選別ベルト４を交換等のために着脱するときはこの側壁フレーム９の間隔部１０に沿って三角状形態に巻回されている選別ベルト４の下辺部を横側から出し入れすることによって行う。
【０００７】
【発明の効果】
請求項１に記載の発明は、ブラシローラ１の方向に沿って搬送される果実は、同ブラシローラ１による搬送途中速度差を生じて順次速く搬送されて、各前後の果実間に一定の間隔を生ずることとなり、簡単な構成により一箇毎の搬送繰出を円滑に正確に行わせることができる。
【０００８】
請求項２に記載の発明は、ブラシローラ１による搬送方向と選別ベルト４による搬送方向とが同一方向で略一直線上に設定されていため、果実の搬送、受け継ぎの段差を少なくできて、これら搬送や受け継ぎ等を円滑に行わせることができる。又、搬送行程を短くでき、構成を簡潔化でき、装置全体として小型化して、設地場所を狭くできる。
【０００９】
請求項３に記載の発明は、選別ベルト４が前後のプーリ６、７と中間部下辺の中間プーリ８によって三角状形態の張設されて、この選別ベルト４の下辺部に沿って間隔部１０から、この選別ベルト４の下辺部を側壁フレーム９の側方へ取り出したり、内側へ入れることができるため、選別ベルト４はこの下辺部を間隔部１０から取り出すことによってベルト張りを大きく緩めることができ、着脱を簡単、迅速化できる。
【００１０】
【発明の実施の形態】
この発明の実施例を図面に基づいて説明する。先ず、図１〜図４に基づいて、左右一対の平行状にしてフレーム１４に軸装されるブラシローラ１は、始端部上に供給シュータ１１をのぞませて、終端部を選別装置１２の選別ベルト４の始端上にのぞませている。供給シュータ１１から供給されるニンジンやサツマイモ等の果実Ｋを、左右一対のブラシローラ１間の谷間部１３に沿わせて移送させながら、選別ベルト４に一定間隔に一箇毎供給する。各ブラシローラ１は、ロール軸５に一体の円柱形状のロールコア２の外周面にブラシ３を植設して平ブラシロール形態に構成したもので、このブラシ３をロール軸５芯に対して、先端部がロール軸５の搬送方向側へ適宜鋭角度のブラシ傾斜角Ａ，Ｂに傾斜した状態に植設される。このようなブラシを傾斜角Ａ，Ｂに植設することによって、該谷間部１３に載せられた果実Ｋは、両ブラシローラ１の回転によってブラッシング作用を受けると共に、このブラシ３の傾斜角Ａ，Ｂ側へ向けて移動される。これらブラシ３は、移送方向の始端部側のブラシ３Ａは急傾斜角Ａ（例えばＡ≒８７度）に設定し、終端部側のブラシ３Ｂは緩傾斜角Ｂ（例えばＢ≒８０度）として、これら始端部側のブラシ３Ａよりも終端部側のブラシ３Ｂの傾斜角度を緩く（Ａ＞Ｂ）するように設定している。
【００１１】
このようなブラシローラ１は、単一のロールコア２の周面に異なる傾斜角Ａ，Ｂのブラシ３Ａ，３Ｂを植設したが、これらブラシ３Ａ，３Ｂ毎に各別に構成したブラシローラを適宜の長さに設定して連結する形態とするもよい。又、ブラシ３の傾斜角Ａ，Ｂを二段階にして夫々異なる軸方向の長さに渡って植設したが、傾斜角は軸方向へ無段階にして順次緩傾斜にするように植設することもできる。
【００１２】
前記シュータ１１はラグ付きベルトを回転させてホッパー１５から供給される果実Ｋを搬送して、ブラシローラ１の始端部上に供給する。このブラシローラ１の始端部上で該シュータ１１側には補助ローラ１６や案内板１７等が設けられ、供給された果実Ｋが回転ブラシローラ１上を回転側へ乗り越えたり、シュータとの間に挾み込まれないように案内する。これら各ロール軸５や補助ローラ１６のロール軸１８は、モータ１９の軸２０との間に掛けわたされるチエン２１によって所定の方向へ伝動回転される。２２は案内杆で、左右のブラシローラ１間の間隔が広い場合に果実Ｋが落下するのを防止することができる。この案内杆２２は丸棒形態で回転自在に設けて、果実Ｋとの接触抵抗を少なくすることができる。
【００１３】
前記供給シュータ１１から搬送される果実Ａは、ブラシローラ１間の谷間部１３の始端部上に供給される。この果実Ａがブラシローラ１の回転周面に摺接されることによってブラッシング作用を受ける。このとき果実Ｋが相互に重合状態にあると、一部の果実Ｋがブラシローラ１の回転方向へ押し上げられるようになるが、この側には補助ローラ１６や案内板１７があって、シュータ１１の回転部に掻き込まれないように案内される。このブラシ３Ａの傾斜角度Ａにより、この傾斜角度Ａのロール軸５の方向へ転動されて搬送されると、谷間部１３の果実Ｋ相互間の間隔ができて前後一列状態に整列される。続いてこの果実Ｋがブラシ３Ａからブラシ３Ｂの位置にくると、この傾斜角度Ｂが緩くなるためロール軸５方向への搬送作用が大きくなり、後続果実Ｋとの間に一定の間隔が開かれる。これら一連の整列や、移送速度差による間隔形成が同一ブラシローラ３上において行われるため、円滑で速やかに行われる。
【００１４】
前記ブラシローラ１としては、図５のようにブラシ３の傾斜角度Ａ，Ｂ，Ｃを三段階に設定することもできる。始端部側のブラシ３Ａの傾斜角度Ａを例えば約８５度とし、中間部のブラシ３Ｂの傾斜角度Ｂを約８５度とし、終端部のブラシ３Ｃの傾斜角度Ｃを約８０度としたものである。ブラシ３Ａ部に供給された果実Ｋは三段階の速度差を有したブラシ３Ａ，３Ｂ，３Ｃの順に移るに従って順次速く搬送されて、前後の果実Ｋ間隔も順次大きく開かれる。
【００１５】
更に、図６のようにブラシローラ１の始端部に傾斜角度を有しないブラシ３Ｄを設けることもできる。このブラシ３Ｄの植設角度Ｄは普通のブラシローラのように直角状態（Ｄ≒９０度）に設定される。このブラシ３Ｄの後に前記の如き傾斜角度Ａ（≒８７度），Ｂ（≒８０度）を有したブラシ３Ａ，３Ｂ等が配置形成される。このブラシ３Ｄ部では果実Ｋの搬送力が小さいためブラッシング作用をよくして、果実Ｋの搬送方向への送り出しを徐々に行わせ、ブラシ３Ａ，３Ｂにおける間隔部を生じ易くすることができる。。
【００１６】
次に、主として図７〜図１０に基づいて上例と異なる点を説明する。前記ブラシローラ１の終端側に選別ベルト４を配置したもので、左右ブラシローラ１間の谷間部１３に沿って搬送される果実Ｋを選別ベルト４で受け継いで搬送しながら重量を計量して、計量区分ごとに選別して側方へ排出させるものである。この選別ベルト４は上面を該ブラシローラ１の谷間部１３と略同高さにして水平状に設けられて、果実Ｋの受継部の段差を少なくしている。この選別ベルト４は、一定幅の平ベルトからなり、左右両側の側壁フレーム９の間において、前、後プーリ６，７とこれらの間の中間下部に位置する中間プーリ８とによって張設される。
【００１７】
このうち前、後プーリ６，７はプーリ軸２３，２４が側壁フレーム９に対して長穴部に前後移動調節可能に案内されて、選別ベルト４の緩みを張ることができる。中間プーリ８はプーリ軸２４で側壁フレーム９に対して支持される。この中間プーリ８の前後上部には前後から張りプーリ２６，２７が張設ロッド２８，２９で押圧されて、選別ベルト４の中間プーリ８に対する巻付圧を維持させる。３０，３１はこれら張設ロッド２８，２９の調節ナットで、張りプーリ２６，２７の張圧力を調節することができる。左右一側の側壁フレーム９には、このように張設された選別ベルト４の下辺部に沿ってスリット状の間隔部１０を形成する。この間隔部１０から選別ベルト４の下辺部を間横に移動させて出し入れすることができる。この間隔部１０の形成によって、この側の側壁フレーム９は上下に分離された形態の構成である。従って、前、後プーリ６，７と中間プーリ８とにわたって掛け渡された選別ベルト４は、これら各プーリ６，７，８等を軸支する上側の側壁フレーム９の外周部から外側へ取外すことができる。
【００１８】
選別ベルト４を交換する等のために取り外すときは、前記ナット３０，３１による張りプーリ２６，２７や、前、後プーリ６，７等を緩めて、選別ベルト４をたるませる。ここで選別ベルト４の下辺部を横側の間隔部１０から外側へ移動させる。このようにして下辺部が側壁フレーム９の外側へ引き出されると、この選別ベルト４は大きく緩むため前後端部を前、後プーリ６，７から容易に外すことができる。又、新しい選別ベルト４を張設するときは、これとは逆の手順で行うことができる。このようにして選別ベルト４を着脱するときは側壁フレーム９を外さないため、着脱操作を簡単にし、容易にすることができる。
【００１９】
前記選別ベルト４の搬送行程には、搬送果実Ｋの重量を計測するロードセルから構成される計量器３２と、この計量器３２からの出力信号を受けて排出作動される各選別域の排出レバー３３とが配置される。この計量器３２は、防振ゴム３５を介して側壁フレーム９に一体の取付ベース３６に対して防振的に取付支持され、正確な計測を行わせる。３７は計量器３２上のロードセル、３８はこの前後の機体側のベルトスライダーであり回転される選別ベルト４の底面を摺動させて案内支持するものである。該排出レバー３３や電磁ソレノイド４０は側壁フレーム９に取り付けるブラケット４５に取り付けられる。この排出レバー３３は側壁フレーム９の窓部３９に対してレバー軸３４の周りに回動自在に支持され、選別ベルト４の上面に沿って回動Ｅされる。この排出レバー３３の基部４３には電磁ソレノイド４０のソレノイドロッド４１がリンク４２を介して連結されて、前記計量器３２からの信号によってソレノイド４０が通電作動されて排出レバー３３を回動Ｅさせ、この選別ベルト４上の搬送果実Ｋを外側の各選別シュータ４４へ排出させる。４６はモータで、チエン４７を介してプーリ軸２５を連動し、選別ベルト４を回転させる。
【図面の簡単な説明】
【図１】ブラシローラ部の平面図。
【図２】その正面図。
【図３】そのブラシローラ部の平面図と、ブラシの植設姿勢を示す一部の拡大平面図。
【図４】その供給シュータ部の正面図。
【図５】一部別実施例を示すブラシローラ部の平面図と、正面図。
【図６】一部別実施例を示すブラシローラ部の平面図と、正面図。
【図７】一部別実施例を示す選別装置部の平面図。
【図８】その側面図。
【図９】その一部排出レバー部の平面図。
【図１０】その一部計量器部の側面図。
【符号の説明】
１　ブラシローラ
２　ロールコア
３　ブラシ
４　選別ベルト
５　ロール軸
６　前プーリ
７　後プーリ
８　中間プーリ
９　側壁フレーム
１０　間隔部
【図１】
2004075380.tif 000003
【図２】
2004075380.tif 000004
【図３】
2004075380.tif 000005
【図４】
2004075380.tif 000006
【図５】
2004075380.tif 000007
【図６】
2004075380.tif 000008
【図７】
2004075380.tif 000009
【図８】
2004075380.tif 000010
【図９】
2004075380.tif 000011
【図１０】
2004075380.tif 000012